(57)【要約】【課題】簡易に、迅速に組み立てられ、かつ高精度の目幅間隔を有するスクリーンパネルを安価に製作することができるスクリーンパネルを提供すること。【解決手段】所定の目幅間隔に多数のスリット２１を形成し、かつ対向配置したプレート支持枠２、２間にスクリーンプレート１の端部を挿入掛止して一体化する。【選択図】図１
2007050330.tif 000002
【特許請求の範囲】
【請求項１】
所定の目幅間隔に多数のスリットを形成し、かつ対向配置したプレート支持枠間にスクリーンプレートの端部を挿入掛止して一体化するようにしたことを特徴とするスクリーンパネル。
【請求項２】
プレート支持枠の両端部に、隣接するスクリーンパネル間を屈曲可能に連結するための連結フランジを形成したことを特徴とする請求項１記載のスクリーンパネル。
【請求項３】
所定の目幅間隔に多数のスリットを形成し、かつ対向配置したプレート支持枠間にスクリーンプレートの端部を挿入掛止し、これを屈曲可能に連結するようにしたスクリーンパネル枠体により固定し一体化したことを特徴とする請求項１記載のスクリーンパネル。
【請求項４】
互いに屈曲可能に連結するようにしたプレート支持枠を対向配置し、プレート支持枠に所定の目幅間隔に形成した多数の各スリットにスクリーンプレートの端部を掛け渡すように挿入掛止することにより所定の目幅間隔を保持するようにして一体化することを特徴とするしたことを特徴とするスクリーンパネルの製造方法。
【請求項５】
所定の目幅間隔に多数のスリットを形成したプレート支持枠を対向配置し、プレート支持枠間にスクリーンプレートの端部を掛け渡すように挿入掛止することによりスクリーンプレート間の目幅間隔を保持するようにした後、これを屈曲可能に連結するようにしたスクリーンパネル枠体により固定し一体化することを特徴とするスクリーンパネルの製造方法。
【発明の詳細な説明】
【技術分野】
【０００１】
本発明は、スクリーンパネル及びその製造方法に関し、特に、パネル式のスクリーン除塵機において無端条のスクリーンを形成するスクリーンパネルを、従来のようにスクリーンプレート間に間隔保持部材を挟持するようにして組み立てる必要がなく、高精度の目幅間隔を保持しつつその組み立てを簡易にし、かつ安価に製作することができるようにしたスクリーンパネル及びその製造方法に関するものである。
【背景技術】
【０００２】
従来、小規模下水処理場や、農業用水、その他のポンプ場において、下水或いは用水取入口に取り付けてし渣（ごみ）の流入を防止するためのスクリーン式除塵機が提案されている。
このスクリーン式除塵機は、スクリーンパネルの複数枚を無端条（エンドレス状）に、キャタピラ状に連結接続し、これを水路に設置して取水中のし渣を捕捉しつつ流水通過させ、かつスクリーンの回転駆動によって捕捉したし渣を水中から掻き上げて水路外に排除するようにしている。
また、無端条のスクリーンは、多数のスクリーンパネルをキャタピラ状に連結することにより形成されているが、各スクリーンパネルは、多数のスクリーンプレートを厚み方向に所定間隔で並設し、かつスクリーンの目幅を確保するために、多数のスクリーンプレートの間に間隔保持部材を挟み込むようにして櫛歯状に形成し、これにボルトを挿通してパネル状に組み立て、これをエンドレス状に隣接配設し、隣接位置のスクリーンパネル間を連結ピンにて予め定められた角度の範囲内で屈曲可能に組み立てるように構成されている。
【０００３】
ところで、上記従来のスクリーンパネルは、スクリーンの目幅を確保するために、多数のスクリーンプレートの間に間隔保持部材を挟み込むように所定問隔で並設し、これにボルトを挿通して一体となるように組み立てているため、使用部品数が多く組み立て作業に非常に手間がかかり、かつ製品が高価になるという問題があった。
【発明の開示】
【発明が解決しようとする課題】
【０００４】
本発明は、上記従来のスクリーンパネルの有する問題点に鑑み、従来のようにスクリーンプレート間の目幅間隔を保持するための間隔保持部材を使用することなく、簡易に、迅速に組み立てられ、かつ高精度の目幅間隔を有するスクリーンパネルを安価に製作することができるスクリーンパネル及びその製造方法を提供することを目的とする。
【課題を解決するための手段】
【０００５】
上記目的を達成するため、本発明のスクリーンパネルは、所定の目幅間隔に多数のスリットを形成し、かつ対向配置したプレート支持枠間にスクリーンプレートの端部を挿入掛止して一体化するようにしたことを特徴とする。
【０００６】
この場合において、プレート支持枠の両端部に、隣接するスクリーンパネル間を屈曲可能に連結するための連結フランジを形成することができる。
【０００７】
また、所定の目幅間隔に多数のスリットを形成し、かつ対向配置したプレート支持枠間にスクリーンプレートの端部を挿入掛止し、これを屈曲可能に連結するようにしたスクリーンパネル枠体により固定し一体化することができる。
【０００８】
また、本発明のスクリーンパネルの製造方法は、互いに屈曲可能に連結するようにしたプレート支持枠を対向配置し、プレート支持枠に所定の目幅間隔に形成した多数の各スリットにスクリーンプレートの端部を掛け渡すように挿入掛止することにより所定の目幅間隔を保持するようにして一体化することを特徴とする。
【０００９】
また、本発明のスクリーンパネルの製造方法は、所定の目幅間隔に多数のスリットを形成したプレート支持枠を対向配置し、プレート支持枠間にスクリーンプレートの端部を掛け渡すように挿入掛止することによりスクリーンプレート間の目幅間隔を保持するようにした後、これを屈曲可能に連結するようにしたスクリーンパネル枠体により固定し一体化することを特徴とする。
【発明の効果】
【００１０】
本発明のスクリーンパネルによれば、所定の目幅間隔に多数のスリットを形成し、かつ対向配置したプレート支持枠間にスクリーンプレートの端部を挿入掛止して一体化するようにしているから、製造、特に限定されるものではないが、プレート支持枠のスリットにスクリーンプレートの端部を挿入するだけのため、組み立てが簡易で、かつ所定の目幅が保持され、高精度の目幅間隔を備えたスクリーンパネルを安価に提供することができる。
【００１１】
また、プレート支持枠の両端部に、隣接するスクリーンパネル間を屈曲可能に連結するための連結フランジを形成しているため、簡単な構成で簡易に隣接スクリーンパネルとの連結が行うことができる。
【００１２】
また、所定の目幅間隔に多数のスリットを形成し、かつ対向配置したプレート支持枠間にスクリーンプレートの端部を挿入掛止し、これを屈曲可能に連結するようにしたスクリーンパネル枠体により固定し一体化しているから、高精度の目幅間隔を備えたスクリーンパネルの組み立てが簡易に迅速に、かつ強固に行え、スクリーンパネル間の連結も容易に行える。
【００１３】
本発明のスクリーンパネルの製造方法によれば、互いに屈曲可能に連結するようにしたプレート支持枠を対向配置することにより、プレート支持枠に所定の目幅間隔に形成した多数のスリットに多数のスクリーンプレート端部を掛け渡すように挿入掛止し、所定の目幅間隔を保持するようにして一体化するため、使用部品点数も少なくなり、高精度の目幅間隔を備えたスクリーンパネルを、簡易、迅速に製作組み立てができる。
【００１４】
また、本発明のスクリーンパネルの製造方法によれば、所定の目幅間隔に多数のスリットを形成したプレート支持枠を対向配置し、プレート支持枠間にスクリーンプレートの端部を掛け渡すように挿入掛止することによりスクリーンプレート間の目幅間隔を保持するようにした後、これを屈曲可能に連結するようにしたスクリーンパネル枠体により固定し一体化しているから、高精度の目幅間隔を備えたスクリーンパネルを、簡易、迅速に製作組み立てができ、さらにはスクリーンパネル間の連結、屈曲が容易に行える。
【発明を実施するための最良の形態】
【００１５】
以下、本発明のスクリーンパネル及びその製造方法の実施の形態を図面に基づいて説明する。
【実施例１】
【００１６】
図１に、本発明のスクリーンパネルの第１実施例を示す。
このスクリーンパネルＰは、スクリーンパネルを構成するに適した所定の板厚と長さを備えた多数のスクリーンプレート１を、金属板よりプレス加工などにて製作する。
この場合、スクリーンプレート１は、特に限定されるものではないが、例えば、図４（Ａ）に示すように、スクリーンとして使用する際、上流側面をフラットとしたもののほかに、図４（Ｂ）〜（Ｄ）に示すように、上流側面のフラット面に１又は２つのし渣掻揚用のフック１１を突設したものなどとすることができ、これを適当に組み合わせて組み立てるようにすることができる。
なお、フック１１の有無に関係なくスクリーンプレート１はすべて略同一高さと長さを有するものとする。
【００１７】
スクリーンプレート１の両端部は、図１に示すように、互いに対向して配設されたプレート支持枠２、２間に掛け渡すようにして、かつ各スリット２１に挿入掛止され、これにより複数枚のスクリーンプレート１は所定の目幅間隔ｗが保持され、プレート支持枠２、２により一体となるようにする。
このプレート支持枠２は、１つのスクリーンパネルＰを構成するに必要な長さを有するコ字形断面をした部材を使用し、スクリーンの目幅間隔ｗとなるよう所定の間隔で多数のスリット２１を、プレート支持枠２の本体片２２とこの本体片２２の上下端にて水平方向に折れ曲がった端片２３、２３にかけて形成するとともに、スクリーンプレート１の端部を挿入掛止できるように、スクリーンプレート１の板厚、板の幅等によりその大きさが定められる。
【００１８】
また、このプレート支持枠２の長さ方向の両端部には、図１に示すように、端片２３の先端部を内側にほぼ直角に折り曲げるとともに、この中央部に連結孔２４ｈを形成した連結フランジ２４を形成する。そして、互いに隣接するプレート支持枠２、２の対向する連結フランジ２４、２４間を、図１に示すように、サイド枠３２にて連結して外枠３１へ挿入し、スクリーンパネルＰを形成するようにする。
そして、図３に示すように、スクリーンパネルＰは、下側の外枠３１の下面にパネルジョイントプレートＪを取り付けるとともに、チェーンＣに設けられたスクリーンパネル取付座Ｓに取り付けられ、隣接するスクリーンパネルＰ間が屈曲可能に連結するよう構成される。
【００１９】
この実施例において、スクリーンパネルＰを組み立てるには、所定の目幅間隔に多数のスリット２１を形成した２つのプレート支持枠２、２を互いに対向するように並行配置するが、この場合、対向するプレート支持枠２、２のスリット２１、２１も互いに対峙するようにする。
そして、各プレート支持枠２のスリット２１にスクリーンプレート１の端部を挿入掛止して一体とする。これにより、組み立て時、各スリットに所定のスクリーンプレート１の端部を挿入するだけで、簡易に組み立てられるとともに所定の目幅が保持され、高精度の目幅間隔を備えたスクリーンパネルＰとすることができる。
【実施例２】
【００２０】
図２に、本発明のスクリーンパネルの第２実施例を示す。
この実施例は、第１実施例に示すように、所定の目幅間隔に多数のスリット２１を形成し、かつ対向配置したプレート支持枠２、２間にスクリーンプレート１の端部を掛け渡すようにして挿入掛止し、これを屈曲可能に連結するようにしたスクリーンパネル枠体３により固定し一体化したものである。
【００２１】
したがって、この実施例においては、プレート支持枠２に連結フランジ２４を形成することがなく、スクリーンパネルＰ、Ｐ間の連結は、隣接するスクリーンパネル枠体３、３により行うものである。
このスクリーンパネル枠体３は、複数枚のスクリーンプレート１を対向したプレート支持枠２、２間に掛け渡すようにして掛止して一体としたもの、正確にはプレート支持枠２を嵌合される断面コ字状の外枠３１と、外枠３１の両端に固定されるサイド枠３２とを備えている。
また、この外枠３１の両端には、外方に張り出すフランジ部３３が形成されており、フランジ部３３をサイド枠３２に合わせて、これにボルト３４を貫通し固定することにより、枠体３に保持したプレート支持枠２を介してスクリーンプレート１を上下左右いずれの方向にもずれないように固定し一体化することができる。
この場合、図１に示すように、１対の外枠３１に片方のサイド枠３２を固定しておき、外枠３１をガイドとしてその内側にスクリーンプレートを掛止したプレート支持枠２を挿入するようにすれば、容易にスクリーンパネルＰを組み立てることができる。
【００２２】
なお、スクリーンの目幅を変更する場合には、いずれの実施例においても所定間隔で形成したスリット２１の間隔を変えたプレート支持枠２と交換することで容易に、安価にスクリーンの目幅を変更することができる。
【００２３】
以上、本発明のスクリーンパネル及びその製造方法について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００２４】
本発明のスクリーンパネルの製造方法によれば、通水性のスクリーンパネルを簡単かつ安価に製作できることから、得られたスクリーンパネルは、除塵機のスクリーンの用途に好適に用いることができるほか、例えば、下水や河川の固定式ごみ除去スクリーン、送風・排気等のフィルター、グレーチング等の溝フタの用途にも用いることができる。
【図面の簡単な説明】
【００２５】
【図１】本発明のスクリーンパネルの第１実施例を示す分解斜視図である。
【図２】本発明のスクリーンパネルの第２実施例を示す分解斜視図である。
【図３】本発明のスクリーンパネルの連結状態を示す拡大した側面断面図である。
【図４】本発明のスクリーンパネルを構成するスクリーンプレートの説明図である。
【図５】本発明のスクリーンパネルの一部を示す正面図である。
【符号の説明】
【００２６】
１    スクリーンプレート
２    プレート支持枠
２１  スリット
２２  本体片
２３  端片
２４  連結フランジ
２４ｈ  連結ピン孔
３    枠体
３１  外枠
３２  サイド枠
３３  フランジ部
３４  ボルト
Ｃ    チェーン
Ｊ    パネルジョイントプレート
Ｐ    スクリーンパネル
Ｓ    スクリーンパネル取付座
【図１】
2007050330.tif 000003
【図２】
2007050330.tif 000004
【図３】
2007050330.tif 000005
【図４】
2007050330.tif 000006
【図５】
2007050330.tif 000007